(57)【要約】【課題】  操作したスイッチに関する情報の音声案内のあとに、設定を変更することが可能な操作装置を提供するものである。【解決手段】  機器を操作する複数のスイッチからなるスイッチ操作部１と、スイッチ操作部１の中で任意に操作されたスイッチの種類を記憶するスイッチ記憶部２と、スイッチ操作部１の任意のスイッチ操作によって時間の計測を開始するタイマー３と、タイマー３で計測した前回のスイッチ操作から今回のスイッチ操作までの経過時間が所定時間内か否かを判定し、今回操作されたスイッチとスイッチ記憶部２に記憶されている前回操作されたスイッチとが同一か否かを判定するとともに、前記経過時間が所定時間内で、かつ、今回操作されたスイッチと前回操作されたスイッチとが同一と判定した時に設定を変更する制御部４と、前記経過時間が所定時間以上、あるいは、今回操作されたスイッチと前回操作されたスイッチとが異なると判定した時に今回操作したスイッチに関する情報を音声で出力する音声出力部５とを備えたものである。【選択図】  図２
2005214530.tif 000002
【特許請求の範囲】
【請求項１】
機器を操作する複数のスイッチからなるスイッチ操作部と、音声出力部とを備えた操作装置において、前記スイッチ操作部の中で任意に操作されたスイッチに関する情報を音声で出力するとともに、所定時間内に前記同一のスイッチを操作することで、前記機器の設定を変更することが可能な操作装置。
【請求項２】
前記スイッチの操作によって変更された設計を音声で出力する請求項１に記載の操作装置。
【請求項３】
機器を操作する複数のスイッチからなるスイッチ操作部と、前記スイッチ操作部の中で任意に操作されたスイッチの種類を記憶するスイッチ記憶部と、前記スイッチ操作部の任意のスイッチ操作によって時間の計測を開始するタイマーと、前記タイマーで計測した前回のスイッチ操作から今回のスイッチ操作までの経過時間が所定時間内か否かを判定し、今回操作されたスイッチと前記スイッチ記憶部に記憶されている前回操作されたスイッチとが同一か否かを判定するとともに、前記経過時間が所定時間内で、かつ、今回操作されたスイッチと前回操作されたスイッチとが同一と判定した時に設定を変更する制御部と、前記経過時間が所定時間以上、あるいは、今回操作されたスイッチと前回操作されたスイッチとが異なると判定した時に今回操作したスイッチに関する情報を音声で出力する音声出力部とを備えた操作装置。
【請求項４】
前記経過時間が所定時間内で、かつ、今回操作されたスイッチと前回操作されたスイッチとが同一と判定した時に前記音声出力部が変更後の設定を音声で出力する請求項３に記載の操作装置。
【発明の詳細な説明】
【技術分野】
【０００１】
本発明は、機器を操作する操作装置に関し、特に、音声による案内を行う操作装置に関する。
【背景技術】
【０００２】
従来の操作装置は、機器の設定を操作する複数のスイッチと、音声報知器を備えており、前記スイッチの操作により変更された設定を音声で報知するものがある（例えば、特許文献１参照）。
【特許文献１】特開２０００−３４６４４３号公報（図２）
【発明の開示】
【発明が解決しようとする課題】
【０００３】
しかしながら、従来の操作装置では、例えば、周囲が暗い場合や、入浴中の操作者がシャンプー中で手探りの状態で操作する場合や、あるいは、目の不自由な方など、視覚に頼らない操作をおこなう場合に、操作したいスイッチを探すには、例えば、シャワーの給湯温度を上げたい場合では、操作したスイッチが、シャワーの給湯温度を上げるスイッチでなかった場合は、直前に操作した設定を元に戻すスイッチを操作して再度設定を戻し、さらにシャワーの給湯温度を上げるスイッチを探さなければならず、操作が煩雑であった。
【０００４】
そこで、本発明は、この点に鑑みてなされたもので、その主な目的は、操作したスイッチに関する情報を音声で案内したあとに、設定を変更することが可能な操作装置を提供するものである。
【課題を解決するための手段】
【０００５】
本発明は前記目的を達成するため、機器を操作する複数のスイッチからなるスイッチ操作部と、音声出力部とを備えた操作装置において、前記スイッチ操作部の中で任意に操作されたスイッチに関する情報を音声で出力するとともに、所定時間内に前記同一のスイッチを操作することで、前記機器の設定を変更するものである。
【０００６】
また、前記スイッチの操作によって変更された設計を音声で出力するものである。
【０００７】
また、機器を操作する複数のスイッチからなるスイッチ操作部と、前記スイッチ操作部の中で任意に操作されたスイッチの種類を記憶するスイッチ記憶部と、前記スイッチ操作部の任意のスイッチ操作によって時間の計測を開始するタイマーと、前記タイマーで計測した前回のスイッチ操作から今回のスイッチ操作までの経過時間が所定時間内か否かを判定し、今回操作されたスイッチと前記スイッチ記憶部に記憶されている前回操作されたスイッチとが同一か否かを判定するとともに、前記経過時間が所定時間内で、かつ、今回操作されたスイッチと前回操作されたスイッチとが同一と判定した時に設定を変更する制御部と、前記経過時間が所定時間以上、あるいは、今回操作されたスイッチと前回操作されたスイッチとが異なると判定した時に今回操作したスイッチに関する情報を音声で出力する音声出力部とを備えたものである。
【０００８】
また、前記経過時間が所定時間内で、かつ、今回操作されたスイッチと前回操作されたスイッチとが同一と判定した時に前記音声出力部が変更後の設定を音声で出力するものである。
【発明の効果】
【０００９】
以上、本発明によれば、初期の目的を達成することができ、操作したスイッチに関する情報の音声案内のあとに、設定を変更することが可能な操作装置を提供することができる。
【発明を実施するための最良の形態】
【００１０】
本発明の操作装置は、機器を操作する複数のスイッチからなるスイッチ操作部１と、音声出力部５とを備えた操作装置において、スイッチ操作部１の中で任意に操作されたスイッチに関する情報を音声で出力するとともに、所定時間内に前記同一のスイッチを操作することで、前記機器の設定を変更するものである。このように構成したことにより、操作したスイッチに関する情報の音声案内のあとに、設定を変更することが可能な操作装置を提供することができる。
【００１１】
また、前記スイッチの操作によって変更された設計を音声で出力するものである。このように構成したことにより、変更した設定を知らせることが可能な操作装置を提供することができる。
【００１２】
また、機器を操作する複数のスイッチからなるスイッチ操作部１と、スイッチ操作部１の中で任意に操作されたスイッチの種類を記憶するスイッチ記憶部２と、スイッチ操作部１の任意のスイッチ操作によって時間の計測を開始するタイマー３と、タイマー３で計測した前回のスイッチ操作から今回のスイッチ操作までの経過時間が所定時間内か否かを判定し、今回操作されたスイッチとスイッチ記憶部２に記憶されている前回操作されたスイッチとが同一か否かを判定するとともに、前記経過時間が所定時間内で、かつ、今回操作されたスイッチと前回操作されたスイッチとが同一と判定した時に設定を変更する制御部４と、前記経過時間が所定時間以上、あるいは、今回操作されたスイッチと前回操作されたスイッチとが異なると判定した時に今回操作したスイッチに関する情報を音声で出力する音声出力部５とを備えたものである。このように構成したことにより、操作したスイッチに関する情報の音声案内のあとに、設定を変更することが可能な操作装置を提供することができる。
【００１３】
また、前記経過時間が所定時間内で、かつ、今回操作されたスイッチと前回操作されたスイッチとが同一と判定した時に音声出力部５が変更後の設定を音声で出力するものである。このように構成したことにより、変更した設定を知らせることが可能な操作装置を提供することができる。
【実施例１】
【００１４】
以下、添付図面を用いて本発明の第１実施例を説明する。
【００１５】
本実施例の操作装置は、例えば、給湯器などの機器やそれ自体を操作する操作装置を用いて説明する。この操作装置は浴室内に設けられ、屋外に設けた給湯器に配線で接続されたものである。
【００１６】
この操作装置は、スイッチ操作部１と、スイッチ記憶部２と、タイマー３と、制御部４と、音声出力部５と、設定記憶部６及び表示部７とを備えている。
【００１７】
スイッチ操作部１は、本実施例では、給湯温度を上げるスイッチや、給湯温度を下げるスイッチや、浴槽内のお湯の温度を上げるスイッチ及び浴槽内のお湯の温度を下げるスイッチなどの複数のスイッチを備えている。
【００１８】
スイッチ記憶部２は、スイッチ操作部１の中で操作されたスイッチの種類を記憶するものである。
【００１９】
タイマー３は、スイッチ操作部１の任意のスイッチが操作された時に、時間の計測を開始するものである。
【００２０】
制御部４は、タイマー３で計測した前回のスイッチ操作から今回のスイッチ操作までの経過時間が所定時間（本実施例では、３０秒）内か否かを判定するとともに、今回操作されたスイッチとスイッチ記憶部２で記憶されている前回操作されたスイッチとが同一であるか否かを判定するものである。
【００２１】
音声出力部５は、音声を出力するものであり、本実施例ではスピーカである。このスピーカ５は、制御部４がタイマー３で計測した経過時間が所定時間以上、あるいは、今回操作されたスイッチと前回操作されたスイッチとが異なるスイッチであると判定した時に、今回操作したスイッチに関する情報を音声で出力するものである。
【００２２】
スピーカ５が出力するスイッチに関する情報とは、例えば、給湯温度を上げるスイッチの場合、「給湯温度を上げるスイッチです。」であり、浴槽内のお湯の温度を上げるスイッチの場合、「浴槽のお湯の温度を上げるスイッチです。」である。
【００２３】
設定記憶部６は、前記給湯器の設定を記憶するものであり、制御部４がタイマー３で計測した経過時間が所定時間内で、かつ、今回操作されたスイッチと前回操作されたスイッチとが同一と判定した時に、制御部４によって記憶している設定が変更されるものである。
【００２４】
表示部７は、蛍光表示管などであり、前記給湯器の設定を表示するものである。
【００２５】
なお、本実施例では、スイッチ記憶部２と、制御部４及び設定記憶部６はマイクロコンピュータによって統合されている。
【００２６】
次に、本実施例の動作をフローチャートを用いて説明する。
【００２７】
前記給湯器に電力が供給されることで、スタートする（図２中の１００）。このスタートと同時に、タイマー３が時間の計測を開始する。
【００２８】
ステップ１０１で、スイッチ操作部１には存在しないスイッチのデータ（図２では、「０」）をスイッチ記憶部２に記憶させる。
【００２９】
ステップ１０２で、スイッチ操作部１のスイッチが操作されたか否かを検出する。ここで、スイッチ操作がなければ「ＮＯ」で再びステップ１０２に戻る。スイッチ操作があればステップ１０３に進む。
【００３０】
ステップ１０３では、タイマー３が計測した前回のスイッチ操作から今回のスイッチ操作までの経過時間が所定時間（本実施例では、３０秒）経過したか否かを判定する。ここで、経過時間が所定時間経過していない場合は、ステップ１０４に進む。また、経過時間が所定時間を経過した場合は、ステップ１０９に進む。
【００３１】
ステップ１０４では、今回操作したスイッチが前回操作したスイッチか否かを判定する。ここで、今回操作したスイッチが前回操作したスイッチと同一である場合は、ステップ１０５に進む。また、今回操作したスイッチが前回操作したスイッチと異なる場合は、ステップ１０９に進む。
【００３２】
ステップ１０５では、今回スイッチが操作されたことで、タイマー３がリセットされて再スタートし、ステップ１０６に進む。
【００３３】
ステップ１０６では、今回操作されたスイッチの種類をスイッチ記憶部２に記憶させ、ステップ１０７に進む。
【００３４】
ステップ１０７では、スイッチ操作によって、制御部４が設定記憶部６の前記給湯器の設定を変更し、ステップ１０８に進む。
【００３５】
ステップ１０８では、変更された設定を音声出力し、ステップ１０２に戻る。ここで、変更された設定とは、例えば、給湯温度を上げるスイッチの場合、「給湯温度は、ＸＸ度になりました。」であり、浴槽内のお湯の温度を上げるスイッチの場合、「浴槽のお湯の温度は、ＸＸ度になりました。」である。
【００３６】
また、ステップ１０３、ステップ１０４からステップ１０９に進んだ場合、ステップ１０９で、今回スイッチが操作されたことで、タイマー３がリセットされて再スタートし、ステップ１１０に進む。
【００３７】
ステップ１１０では、今回操作されたスイッチの種類をスイッチ記憶部２に記憶させ、ステップ１１１に進む。
【００３８】
ステップ１１１では、今回操作されたスイッチに関する情報を音声出力し、ステップ１０２に戻る。また、スイッチに関する情報の後に、現在の設定を音声出力してもよい。例えば、給湯温度を上げるスイッチの場合、「現在の給湯温度はＸＸ度です。」であり、浴槽内のお湯の温度を上げるスイッチの場合、「現在の浴槽のお湯の温度はＸＸ度です。」である。
【００３９】
次に具体的な例を挙げて動作を説明する。操作者がシャワー中で目を閉じているために視覚に頼った操作ができず、シャワーの温度を上げるために「給湯温度を上げるスイッチ」を操作したいが、誤って「浴槽のお湯の温度を上げるスイッチ」を操作した場合で説明する。なお、この時、前回スイッチを操作してから３０秒経過したものとする。
【００４０】
操作者が誤って「浴槽のお湯の温度を上げるスイッチ」を操作したので、操作装置は、ステップ１０２で、スイッチの操作があったことを検出し、ステップ１０３に進む。
【００４１】
ステップ１０３では、前回スイッチを操作してから３０秒経過しているので、ステップ１０９に進む。ここで、操作装置は前述したステップ１０９、１１０を処理し、ステップ１１１で、「浴槽のお湯の温度を上げるスイッチです。」と音声出力し、ステップ１０２に戻る。
【００４２】
ここで、操作者は間違ったスイッチを操作したことに気づいて、操作する指を動かして、３０秒以内に、あらためて前回とは異なるスイッチを操作する。ここで、説明の都合上、「給湯温度を上げるスイッチ」を操作したとすると、ステップ１０２で、スイッチの操作があったことを検出し、ステップ１０３に進む。ステップ１０３では、前回スイッチを操作してから３０秒経過していないので、ステップ１０４に進む。
【００４３】
ステップ１０４では、今回操作したスイッチが前回操作したスイッチか否かを判定する。ここで、今回操作したスイッチが前回操作したスイッチと異なるので、ステップ１０９に進む。操作装置は前述したステップ１０９、１１０を処理し、ステップ１１１で、「給湯温度を上げるスイッチです。」と音声出力し、さらに、「現在の給湯温度はＸＸ度です。」と音声出力し、ステップ１０２に戻る。
【００４４】
ここで、操作者は目的のスイッチであることを認識して、再度「給湯温度を上げるスイッチ」を操作する。そして、ステップ１０２で、スイッチの操作があったことを検出し、ステップ１０３に進む。ステップ１０３では、前回スイッチを操作してから３０秒経過していないので、ステップ１０４に進む。
【００４５】
ステップ１０４では、今回操作したスイッチと前回操作したスイッチとが同一と判定し、操作装置は前述したステップ１０５、１０６を処理し、ステップ１０７で、前記給湯器の設定を変更し、ステップ１０８に進む。
【００４６】
ステップ１０８では、変更された設定を音声によって出力する。今回の場合は、「給湯温度は、ＸＸ度になりました。」と音声を出力する。そして、ステップ１０２に戻る。操作者は、設定を確認して操作を終了する。
【００４７】
このように構成したことにより、一度目のスイッチ操作では、設定の変更は行われず、所定時間内にもう一度同一のスイッチ操作を行うことで、設定を変更することができ、操作したスイッチに関する情報を音声案内で確認したあとに、設定を変更することが可能な操作装置を提供することができる。
【００４８】
また、設定を変更する前に、スイッチの種類やその設定を知ることができるので、従来のような煩わしい操作を行わなくともよく、操作性が向上する。
【００４９】
なお、本実施例のステップ１０３とステップ１０４の順番を入れ替えてもよい。
【００５０】
なお、本発明は、給湯器の操作装置を例に上げて説明したが、給湯器の操作装置に限定されるものではなく、例えば、空気調和機や車両用のオーディオなどの視覚に頼らずに操作することが必要な操作装置に適用することが可能である。
【図面の簡単な説明】
【００５１】
【図１】本発明の第１実施例のブロック図。
【図２】同実施例のフローチャート図。
【符号の説明】
【００５２】
１    スイッチ操作部
２    スイッチ記憶部
３    タイマー
４    制御部
５    音声出力部（スピーカ）
６    設定記憶部
７    表示部
【図１】
2005214530.tif 000003
【図２】
2005214530.tif 000004